【事件の表示】
　特許第３２０１０３９号「表示装置」の請求項１ないし３に係る特許に対する特許異議の申立てについて、次のとおり決定する。
【結　論】
　訂正を認める。
　特許第３２０１０３９号の請求項１ないし２に係る特許を取り消す。
【理　由】
１．手続の経緯
　本件特許についての出願は、平成５年２月４日に出願され、平成１３年６月２２日にその発明について特許権の設定登録がなされ、その後、平成１４年２月２０日に特許異議申立人古川京子から特許異議の申立てがなされ、平成１４年５月２０日付けで取消理由通知がなされ、その指定期間内の平成１４年７月２６日に訂正請求がなされた後、平成１４年８月２０日付けで取消理由通知がなされ、その指定期間内に特許権者から応答がなかったものである。
　
２．訂正についての判断
２−１．訂正の内容
(a) 訂正事項(a)
　請求項１の記載を、「【請求項１】赤，青，緑の各原色映像信号が入力される表示素子と，赤，青，緑の各原色映像信号に対してそれぞれγ補正処理を行う赤用，青用，緑用の各γ補正回路とを有し，該赤用，青用，緑用の各γ補正回路は，互いに他の２色の映像信号も含めた ３色の原色映像信号を変換して輝度信号と色差信号を求め，該輝度信号のみを変更した後，逆変換を行う処理を含む演算処理により求めたγ補正用テーブルを具備することにより，色相を一定に保持してγ補正を行うように構成したことを特徴とする表示装置。」と、訂正する。
　
(b)訂正事項(b)
　請求項２を削除する。
　
(c)訂正事項(c)
　特許明細書における請求項３を、「【請求項２】入力カラー映像信号の階調輝度分布特性を検出する検出手段と，該階調輝度分布特性と前記表示素子の表示特性とにより制御信号を生成する生成手段とを有し，該生成手段からの制御信号に基づいて前記γ補正回路を制御するようにしたことを特徴とする請求項１に記載の表示装置。」と訂正する。
　
(d)訂正事項(d)
　特許明細書第２頁左欄第２８行乃至同頁同欄第３９行に記載の「【課題を解決するための手段】上記第一の課題を解決するため，入力カラー映像信号の階調輝度分布特性と表示素子の表示特性とに応じて階調補正と表示素子上での色相の制御とを行うγ補正特性を可変出来る，γ補正テーブルを有するディジタルγ補正回路を用いた。上記第二の課題を解決するため，γ補正を行うＲ，Ｇ，Ｂ各γ補正回路に，互いに他の２色の情報も用い，γ補正を行っても信号の色相が変化しない様に作成された補正用テーブルを用いるものとした。更に，入力映像信号源の切り換え装置からの信号を制御手段にも入力する構成とし，入力信号源の違いによってもγ補正回路を制御する構成とした。」を、「【課題を解決するための手段】上記課題を解決するため，本発明は，赤，青，緑の各原色映像信号が入力される表示素子と，赤，青，緑の各原色映像信号に対してそれぞれγ補正処理を行う赤用，青用，緑用の各γ補正回路とを有し，該赤用，青用，緑用の各γ補正回路は，互いに他の　２色の映像信号も含めた３色の原色映像信号を変換して輝度信号と色差信号を求め，該輝度信号のみを変更した後，逆変換を行う処理を含む演算処理により求めたγ補正用テーブルを具備することにより，色相を一定に保持してγ補正を行う構成とした。」と、訂正する。
　
(e)訂正事項(e)
　特許明細書第３頁左欄第１６行乃至同頁左欄第４２行に記載の「このように作成されたγ補正テーブルとしてＲＯＭ２２に用いることで非線形のγ補正をしたことによる色の変化を抑制できる。この際各ディジタル映像信号の入出力をすべて８ビットとした場合，上記γ補正テーブルとして必要なＲＡＭ２１ａの容量はアドレス８ビット×３＝２４ビット，出力データ８ビットのため，１６Ｍｂｙｔｅとなる。３色分のＲＡＭ２１ａ，２１ｂ，２１ｃを合計するとその３倍の４８Ｍｂｙｔｅも必要になる。出力映像信号ｒ’は入力映像信号ｒと相関が大きく，入力映像信号ｇ，ｂとは相関が小さいことを考慮すると，Ｒ用のＲＡＭ２１ａにはＲを８ビット入力するのに対し，例えばＧ，Ｂの各ＭＳＢ側４ビット入力と減らしてもγ補正回路の誤差は許容できるレベルになる。ＲＡＭ２１ｂ，２１ｃについても同様である。この方法により，ＲＡＭ２１ａの容量はアドレス８十４十４＝１６ビット，出力８ビットのため６４ｋｂｙｔｅと前述の方法に比べて大幅に低減できる。３色分のＲＡＭ２１ａ，２１ｂ，２１ｃを合計しても２５６ｋｂｙｔｅと，全てビット入力する場合の１／２５６に抑えられる。次に図１上の制御手段３ ０ ａの内部構成及び動作の一例について説明する。制御手段３０ａは入力映像信号の内容，特に階調分布特性に従ってγ補正回路２０ａにおけるγ補正の内容を変化させるものであり，中央処理装置（以下ＣＰＵと略す）３１ａ及び階調分布特性形成回路３２，ＲＡＭ３３，ＲＯＭ３４からなる。」を、「このように作成されたγ補正テーブルとしてＲＯＭ２２に用いることで非線形のγ補正をしたことによる色の変化を抑制できる。次に図１上の制御手段３ ０ ａの内部構成及び動作の一例について説明する。制御手段３０ａは入力映像信号の内容，特に階調分布特性に従ってγ補正回路２０ａにおけるγ補正の内容を変化させるものであり，中央処理装置（以下ＣＰＵと略す）３１ａ及び階調分布特性形成回路３２，ＲＡＭ３３，ＲＯＭ３４からなる。」と、訂正する。
　
２−２．訂正の目的の適否、新規事項の有無及び拡張・変更の存否
上記訂正について判断する。
　
２−２−１．訂正事項(a)
　上記訂正事項(a)は、(1)訂正前の請求項１の「該赤用，青用，緑用の各γ補正回路は、互いに他の2色の映像信号も含めた3色の原色映像信号に基づいて生成されたγ補正用テーブル」を「該赤用，青用，緑用の各γ補正回路は，互いに他の２色の映像信号も含めた ３色の原色映像信号を変換して輝度信号と色差信号を求め，該輝度信号のみを変更した後，逆変換を行う処理を含む演算処理により求めたγ補正用テーブル」と訂正すると共に、(2)訂正前の請求項１に「色相を一定に保持してγ補正を行うように構成したこと」を追加したものであって、いずれも、特許請求の範囲の減縮を目的としたものである。
　そして、上記(1)に関しては、特許明細書段落【００１９】〜【００２５】に記載されており、上記(2)に関しては、特許明細書段落【００１３】【００２５】【００７２】に記載されており、いずれも新規事項の追加に該当しない。
　また、上記訂正事項(a)は、実質上特許請求の範囲を拡張し、又は変更するものでもない。
　
２−２−２．訂正事項(b)
　上記訂正事項(b)は、訂正前の請求項２を削除するものであって、特許請求の範囲の減縮を目的とするものであり、新規事項の追加に該当せず、実質上特許請求の範囲を拡張し、又は変更するものではない。
　
２−２−３．訂正事項(c)
　上記訂正事項(c)は、訂正前の請求項１又は２に従属する請求項であった訂正前の請求項３を、上記訂正事項(b)に伴って、請求項１に従属する請求項２と訂正するものであって、不明りょうな記載の釈明に該当するものであり、新規事項の追加に該当せず、実質上特許請求の範囲を拡張し、又は変更するものではない。
　
２−２−４．訂正事項(d)
　上記訂正事項(d)は、上記訂正事項(a)に対応して、発明の詳細な説明を訂正するものであって、不明りょうな記載の釈明に該当するものであり、新規事項の追加に該当せず、実質上特許請求の範囲を拡張し、又は変更するものではない。
　
２−２−５．訂正事項(e)
　上記訂正事項(e)は、訂正前の発明の詳細な説明中の「この際各ディジタル映像信号の入出力をすべて８ビットとした場合，上記γ補正テーブルとして必要なＲＡＭ２１ａの容量はアドレス８ビット×３＝２４ビット，出力データ８ビットのため，１６Ｍｂｙｔｅとなる。３色分のＲＡＭ２１ａ，２１ｂ，２１ｃを合計するとその３倍の４８Ｍｂｙｔｅも必要になる。出力映像信号ｒ’は入力映像信号ｒと相関が大きく，入力映像信号ｇ，ｂとは相関が小さいことを考慮すると，Ｒ用のＲＡＭ２１ａにはＲを８ビット入力するのに対し，例えばＧ，Ｂの各ＭＳＢ側４ビット入力と減らしてもγ補正回路の誤差は許容できるレベルになる。ＲＡＭ２１ｂ，２１ｃについても同様である。この方法により，ＲＡＭ２１ａの容量はアドレス８十４十４＝１６ビット，出力８ビットのため６４ｋｂｙｔｅと前述の方法に比べて大幅に低減できる。３色分のＲＡＭ２１ａ，２１ｂ，２１ｃを合計しても２５６ｋｂｙｔｅと，全てビット入力する場合の１／２５６に抑えられる。」という不明りょうな記載を実質上削除するものであって不明りょうな記載の釈明に該当するものであり、新規事項の追加に該当せず、実質上特許請求の範囲を拡張し、又は変更するものではない。
　
２−３．むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　
３．特許異議申立について
３−１．本件発明および当審の判断
　本件特許の請求項１ないし２に係る発明は、訂正特許明細書及び図面の記載からみて、その特許請求の範囲に記載されたとおりのものであると認める。
　これに対して、平成１４年８月２０日付けで取消理由を通知し、期間を指定して意見書を提出する機会を与えたが、特許権者からは何らの応答もない。
　そして、上記の取消理由は妥当なものと認められるので、本件発明は特許法第２９条第２項の規定により特許を受けることができない。
　
３−２．むすび
　したがって、本件発明についての特許は拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１５年２月６日（２００３．２．６）
【訂正の要旨】
▲１▼訂正事項ａ
　特許第３２０１０３９号明細書（以下、特許明細書と称す）における請求項１の記載を、特許請求の範囲の減縮を目的とし、以下の通り訂正するとともに、請求項２を削除するように訂正する。
「【請求項１】赤，青，緑の各原色映像信号が入力される表示素子と，赤，青，緑の各原色映像信号に対してそれぞれγ補正処理を行う赤用，青用，緑用の各γ補正回路とを有し，該赤用，青用，緑用の各γ補正回路は，互いに他の２色の映像信号も含めた３色の原色映像信号を変換して輝度信号と色差信号を求め，該輝度信号のみを変更した後，逆変換を行う処理を含む演算処理により求めたγ補正用テーブルを具備することにより，色相を一定に保持してγ補正を行うように構成したことを特徴とする表示装置。」
▲２▼訂正事項ｂ
　上記▲１▼の特許請求の範囲の減縮を目的とした訂正に伴い、特許請求の範囲の減縮を目的とし、特許明細書における請求項３を以下の通り訂正する。
「【請求項２】入力カラー映像信号の階調輝度分布特性を検出する検出手段と，該階調輝度分布特性と前記表示素子の表示特性とにより制御信号を生成する生成手段とを有し，該生成手段からの制御信号に基づいて前記γ補正回路を制御するようにしたことを特徴とする請求項１に記載の表示装置。」
▲３▼訂正事項ｃ
　特許明細書第２頁左欄第２８行乃至同頁同欄第３９行に記載の
「【課題を解決するための手段】上記第一の課題を解決するため，入力カラー映像信号の階調輝度分布特性と表示素子の表示特性とに応じて階調補正と表示素子上での色相の制御とを行うγ補正特性を可変出来る，γ補正テーブルを有するディジタルγ補正回路を用いた。上記第二の課題を解決するため，γ補正を行うＲ，Ｇ，Ｂ各γ補正回路に，互いに他の２色の情報も用い，γ補正を行っても信号の色相が変化しない様に作成された補正用テーブルを用いるものとした。更に，入力映像信号源の切り換え装置からの信号を制御手段にも入力する構成とし，入力信号源の違いによってもγ補正回路を制御する構成とした。」
　を、不明りょうな記載の釈明を目的として、以下の通り訂正する。
「【課題を解決するための手段】上記課題を解決するため，本発明は，赤，青，緑の各原色映像信号が入力される表示素子と，赤，青，緑の各原色映像信号に対してそれぞれγ補正処理を行う赤用，青用，緑用の各γ補正回路とを有し，該赤用，青用，緑用の各γ補正回路は，互いに他の２色の映像信号も含めた３色の原色映像信号を変換して輝度信号と色差信号を求め，該輝度信号のみを変更した後，逆変換を行う処理を含む演算処理により求めたγ補正用テーブルを具備することにより，色相を一定に保持してγ補正を行う構成とした。」
▲４▼訂正事項ｄ
　特許明細書第３頁左欄第１６行乃至同頁左欄第４２行に記載の
「このように作成されたγ補正テーブルとしてＲＯＭ２２に用いることで非線形のγ補正をしたことによる色の変化を抑制できる。この際各ディジタル映像信号の入出力をすべて８ビットとした場合，上記γ補正テーブルとして必要なＲＡＭ２１ａの容量はアドレス８ビット×３＝２４ビット，出力データ８ビットのため，１６Ｍｂｙｔｅとなる。３色分のＲＡＭ２１ａ，２１ｂ，２１ｃを合計するとその３倍の４８Ｍｂｙｔｅも必要になる。出力映像信号ｒ’は入力映像信号ｒと相関が大きく，入力映像信号ｇ，ｂとは相関が小さいことを考慮すると，Ｒ用のＲＡＭ２１ａにはＲを８ビット入力するのに対し，例えばＧ，Ｂの各ＭＳＢ側４ビット入力と減らしてもγ補正回路の誤差は許容できるレベルになる。ＲＡＭ２１ｂ，２１ｃについても同様である。この方法により，ＲＡＭ２１ａの容量はアドレス８＋４＋４＝１６ビット，出力８ビットのため６４ｋｂｙｔｅと前述の方法に比べて大幅に低減できる。３色分のＲＡＭ２１ａ，２１ｂ，２１ｃを合計しても２５６ｋｂｙｔｅと，全てビット入力する場合の１／２５６に抑えられる。次に図１上の制御手段３０ａの内部構成及び動作の一例について説明する。制御手段３０ａは入力映像信号の内容，特に階調分布特性に従ってγ補正回路２０ａにおけるγ補正の内容を変化させるものであり，中央処理装置（以下ＣＰＵと略す）３１ａ及び階調分布特性形成回路３２，ＲＡＭ３３，ＲＯＭ３４からなる。」
　を、不明りょうな記載の釈明を目的として、以下の通り訂正する。
「このように作成されたγ補正テーブルとしてＲＯＭ２２に用いることで非線形のγ補正をしたことによる色の変化を抑制できる。次に図１上の制御手段３０ａの内部構成及び動作の一例について説明する。制御手段３０ａは入力映像信号の内容，特に階調分布特性に従ってγ補正回路２０ａにおけるγ補正の内容を変化させるものであり，中央処理装置（以下ＣＰＵと略す）３１ａ及び階調分布特性形成回路３２，ＲＡＭ３３，ＲＯＭ３４からなる。」
（５４）【発明の名称】
投射型画像表示装置
（５７）【特許請求の範囲】
　【請求項１】
　赤，青，緑の各原色映像信号が入力される表示素子と，
　赤，青，緑の各原色映像信号に対してそれぞれγ補正処理を行う赤用，青用，緑用の各γ補正回路とを有し，
　該赤用，青用，緑用の各γ補正回路は，互いに他の２色の映像信号も含めた３色の原色映像信号
を変換して輝度信号と色差信号を求め，該輝度信号のみを変更した後，逆変換を行う処理を含む演算処理により求めた
により，色相を一定に保持してγ補正を行うように構成した
　【
請求項２
　入力カラー映像信号の階調輝度分布特性を検出する検出手段と，
　該階調輝度分布特性と前記表示素子の表示特性とにより制御信号を生成する生成手段とを有し，
　該生成手段からの制御信号に基づいて前記γ補正回路を制御するようにしたことを特徴とする請求項１に記載の表示装置。
【発明の詳細な説明】
　【産業上の利用分野】
　本発明は，表示装置に係り，特に映像信号あるいは外部環境によってγ補正カーブを変化させ，映像信号に合わせた最適なγ補正を行う技術に関する。
　【従来の技術】
　一般にγ補正は撮影側で行われており，これはＣＲＴの表示特性を念頭において映像信号をＣＲＴの表示特性に合致させるものである。このため，ＣＲＴと異なる表示特性を有する表示素子，例えばマトリクス液晶表示素子等においては，映像信号を表示素子の特性に合わせるため表示前にさらにγ補正が必要である。
　ダイナミックレンジがＣＲＴに比べて狭い液晶等のマトリクス表示装置においては良好なコントラストを持つ表示を行うために，映像信号にあわせてアナログ的にγ補正カーブを変える方法が特開平４−１１０９２０号公報に記載されている。
　γ補正をデジタル信号で行うものとしては，Ｒ，Ｇ，Ｂ各原色信号に対してγ補正用テーブルを用いてγ補正を行う方法として例えば特開平１−１６７７９４号公報に記載されている方法がある。
　【発明が解決しようとする課題】
　アナログ的にγ補正特性を変える第一の従来技術においては，一点折れ線近似等を用いているためにγ補正特性を高精度に作ることが出来なかった。
　また，Ｒ，Ｇ，Ｂ各原色信号にディジタル的にγ補正をかける第二の従来技術ではγカーブを非線形にすると色相が変化してしまうという問題があった。
　更に，ダイナミックレンジが限定された表示装置上にパソコン等の表示を行う際，例えば５１２色表示が可能な表示装置上に５１２色出力可能なパソコンからの信号を表示させる際にγ補正をかけることで伸長を行った部分で使わない階調が生じ，表示可能な階調数が減少するという問題点があった。
　【課題を解決するための手段】
　上記
課題を解決するため，本発明は，赤，青，緑の各原色映像信号が入力される表示素子と，赤，青，緑の各原色映像信号に対してそれぞれγ補正処理を行う赤用，青用，緑用の各γ補正回路とを有し，該赤用，青用，緑用の各γ補正回路は，互いに他の２色の映像信号も含めた３色の原色映像信号を変換して輝度信号と色差信号を求め，該輝度信号のみを変更した後，逆変換を行う処理を含む演算処理により求めたγ補正用テーブルを具備することにより，色相を一定に保持してγ補正を行うように
　【作用】
　ディジタル方式のγ補正テーブルを用いて，高精度なγ補正を実現する一方，制御手段において映像信号の内容を検出し，その検出信号に基づいてγ補正テーブルを変更することにより，映像信号の内容に合わせた最適なγ補正を実現した。
　更に，制御手段がγ補正回路を制御する際に，入力階調のうち頻度の多い部分に出力階調を多く割り振ることで該階調部分の伸長を行い，且つ他の階調部分を潰しすぎないようにする事で，画面のコントラストを高めると同時に階調潰れを抑制した。
　また，Ｒ，Ｇ，Ｂ各γ補正回路に，互いに他の２色の情報も用い，γ補正を行っても信号の色相が変化しない様に作成された補正用テーブルを用いて，γ補正を行うことによる色相の変化を抑制した。
　更に，入力信号源の違いによって，γ補正カーブを変更し，入力信号源によらず最適なγ補正を行うことを可能とした。
　【実施例】
　図１は，本発明の第一の実施例の構成を示す図である。同図において，２０ａはγ補正を行うガンマ補正回路である。１０は映像信号入力部，３０ａはガンマ補正回路２０ａを制御する制御手段である。４０は表示素子であり，例えばマトリクス液晶表示素子である。
　映像入力部１０からの３原色入力映像信号Ｒ，Ｇ，Ｂはγ補正回路２０ａと制御手段３０ａに与えられる。γ補正回路２０ａでは制御手段３０ａが指示するγ補正テーブルに従ってγ補正を施した映像信号を表示素子４０に与えて，表示を行う。
　以下γ補正回路２０ａの構成及び動作について，３原色映像信号Ｒ，Ｇ，Ｂの内，Ｒのγ補正を行う部分を例に取って説明する。ＲＯＭ２２には後述の方法により作成された複数のγ補正用テーブルを記憶させてあり，制御手段３０ａからの制御信号に基づいて前記複数のγ補正テーブルのうち一つを選択し，ＲＡＭ２１ａに転送する。複数のγ補正テーブルから一つを選択して転送するするには，ＣＰＵ３１ａが前記制御信号としてＲＯＭ２２とＲＡＭ２１ａのアドレス信号を与え，ＲＯＭ２２から読み出されるデータをＲＡＭ２１ａに書き込めばよい。また，ＲＯＭ２２からＲＡＭ２１ａにデータを転送してγ補正用テーブルを書き換える為，書き換え時間内のγ補正用テーブルのデータは保証されない。この影響が画面上に出るのを防ぐためデータ転送はブランキング期間内に行う必要がある。
　以上の動作をＲＡＭ２１ｂ，２１ｃに対しても行うことで，ＲＡＭ２１ａ，２１ｂ，２１ｃ上の補正用テーブルが変更される。その結果，ＲＡＭ２１ａ，２１ｂ，２１ｃはＲＯＭ２２から転送されたγ補正用テーブルに基づき入力映像信号に対してγ補正させた映像信号を出力する。
　ＲＡＭ２１ａ，２１ｂ，２１ｃ上のγ補正特性は、例えば以下の方法により形成される。入力信号のＲ，Ｇ，Ｂ座標系での座標を（ｒ，ｇ，ｂ）としたとき，該座標をＹ，Ｕ，Ｖ座標に変換し，（ｙ，ｕ，ｖ）座標を得る。座標変換は例えば以下のような式により行われる。
　【数１】
　　ｕ＝（２．４３ｒ＋０．６９４ｇ＋０．８ｂ）／（５．０９ｒ＋９．１７ｇ＋５．２６ｂ）
　【数２】
　　ｖ＝（２．６９ｒ＋５．２８ｇ＋１．０３ｂ）／（５．０９ｒ＋９．１７ｇ＋５．２６ｂ）
　【数３】
　　ｙ＝０．２９９ｒ＋０．５８７ｇ＋０．１１４ｂ
この輝度成分ｙにγ補正テーブルを求めたいγ補正カーブｙ’＝ｆ（ｙ）によりγ補正をかけ（ｙ’，ｕ，ｖ）という座標にする。該座標をＲ，Ｇ，Ｂ座標を逆変換して得られる（ｒ’，ｇ’，ｂ’）と入力信号（ｒ，ｇ，ｂ）からγ補正テーブルを決定する。逆変換の式は例えば以下のように表される。
　【数４】
　　ｒ＝（５４．２ｕ＋１０．９ｖ−１０．４）ｙ／１２ｖ
　【数５】
　　ｇ＝（−２６．３ｕ＋２５．７ｖ−１．０２）ｙ／１２ｖ
　【数６】
　　ｂ＝（−６．５１ｕ−５５．３ｖ＋３２．３）ｙ／１２ｖ
このように作成されたγ補正テーブルとしてＲＯＭ２２に用いることで非線形のγ補正をしたことによる色の変化を抑制でき
る。
　次
　ＲＯＭ３４はＣＰＵ３１ａで用いるプログラム等の保持をするものである。階調分布特性形成回路はＲＡＭ３２１，ラッチ３２２，３２４，アップカウンタ３２３，タイミング発生回路３２５からなり，ＣＰＵ３１ａからの信号に従いある期間内，例えば１フィールドでの入力映像信号の階調分布特性を形成する。
　タイミング発生回路３２５はＣＰＵ３１ａからの信号に従いＲＡＭ３２１内部のメモリ内容を消去させる信号を発生する。その後，ＲＡＭ３２１から入力映像信号に対応したアドレスのデータをラッチ３２２に出力し，取り込ませる。アップカウンタ３２３はラッチ３２２のデータに１を加算したものをラッチ３２４に出力し，ラッチ３２４からＲＡＭ３２１へデータとして戻す。ＲＡＭ３２１は前記アドレスのデータを該データに置き換える。これによりＣＰＵ３１ａからの信号に従い入力信号に対応するアドレスのデータが１ずつ加算され，その結果階調分布特性形成回路３２上に階調分布特性が形成される。
　更に，ＣＰＵ３１ａは階調分布特性形成回路３２上に形成された階調分布特性を基に，γ補正回路２０ａ内のＲＯＭ２２に予め用意されているγ補正用テーブルの中から最も適しているものを選択する信号を出力する。又は，次に述べるγ補正カーブの変更方法に従って新しいγ補正カーブをＲＡＭ３３上に形成した後で，γ補正用テーブルを前記ＲＡＭ３３上に作成し，そのデータをＲＯＭ２２を介さないでＲＡＭ２１ａ，２１ｂ，２１ｃに直接転送する方式も考えられる。
　以下，図２を用いて最適なγ補正特性の求めかたの一例を示す。まず，基準となるγ補正カーブを信号源側の基準であるＣＲＴの階調輝度特性と表示素子の階調輝度特性から求め，ガンマ補正を行った表示装置の階調輝度特性がＣＲＴの階調輝度特性に準ずるようにする。図２の破線部は基準となるγ補正カーブの一例を表すグラフであり，黒を０，白を１とし，横軸は入力階調を表し，縦軸は出力階調を表している。この例では，入力階調の０から１／５階調目のゲインは２．４であり，以下同様に各区間のゲインは黒側から０．８，０．７５，０．４，０．６５となる。同図の実線部は入力階調の階調分布特性の一例であり横軸は同じく入力階調を表し，縦軸は頻度を表す。
　入力階調の階調分布特性が図２の実線部のようになった場合，潰れを抑制するために該階調分布特性上の頻度にあわせてγカーブの変更を行う。具体的には，各階調区分の平均頻度をｅ，ある階調区分での頻度をｈ，前記階調区分でのゲインをａとすると，変更後のゲインａ’は
　【数７】
　　ａ’＝ａ・ｈ／ｅ
とする。図２の例の場合は各階調区分の平均頻度は１００÷５＝２０％であるから，入力階調０から１／５階調目の頻度が１０％の場合，図２のγ補正カーブのゲインを１０÷２０＝０．５倍迄減らし，１．２とする。同様に１／５から２／５階調目ではゲインを３倍の２．４に増やし，以下同様に頻度に合わせ，ゲインを０，２，０．３２５とする。
　ここで，余りゲインを大きく変えすぎたことにより画面が全体的に明るくなりすぎたり，暗くなりすぎたりしてしまうことを防ぐため，例えば次のようにゲインの変化量に対して制限をつける。入力階調が０から１／５の区間においてゲインがの制限範囲を１．２から５倍とし，同様に１／５から２／５の区間において０．４から１．５倍，以下ゲインの制限範囲を０．４から１．５倍，０．２から０．８倍，０．３から１．３倍にする。この制限を行うことにより，１／５から２／５階調目と３／５階調目から４／５階調目のゲインはそれぞれ１．６，０．８に抑えられ，逆に２／５から３／５階調目のゲインは０．４に増やされる。この結果γ補正カーブは図３の破線部の様になる。これを全体が１になるように正規化して図３の実線部のような新しいγカーブを形成する。
　更に，例えばニュース等で青地に白い文字が表示されている場合等の，広い面積を同じ色で塗ってある場合，前記の方法だけでは，頻度の多い階調を伸長することで本来同じ階調で表示すべき部分のノイズ等による階調のむらを拡大してしまい，画面を汚くしてしまう可能性がある。そこで，前記の問題を防ぐため，ある狭い範囲，例えば総入力階調数が６４階調に対して例えば３階調区間の間の頻度が２０％を越える場合，前記階調のゲイン変化量の制限範囲を従来比１／２以下に狭めることにより，階調むら等の増加を抑制することができる。
　以上本実施例によれば，入力映像信号の内容に合うように切り換えることで，階調のつぶれを抑制した表示を可能とするものである。更に本実施例によれば，γカーブを変更しても色相の変化を抑制することが出来る。
　図４は，本発明の第二の実施例を示す図である。２０ｂはγ補正回路，３０ｂは制御手段である。本実施例の第一の実施例との大きな差はγ補正回路２０ｂのγ補正テーブルをＲＡＭではなくＲＯＭで構成した点にある。
　以下，γ補正回路２０ｂの動作について，Ｒのγ補正を行う部分を例にとって説明する。ＲＯＭ２４ａは予め複数のγ補正用テーブルを記憶させておき，制御手段からの制御信号に基づいて前記複数のγ補正テーブルのうち一つを選択する。複数のγ補正テーブルから一つを選択するには，制御信号を映像信号Ｒ，Ｇ，Ｂと共にＲＯＭ２４ａのアドレスに与えておけばよい。
　以上の動作をＲＯＭ２４ｂ，２４ｃに対しても行い，ＲＡＭ２４ａ，２４ｂ，２４ｃ上の補正用テーブルが変更される。その結果，ＲＯＭ２４ａ，２４ｂ，２４ｃは制御手段により選択されたγ補正用テーブルに基づき入力映像信号に対してγ補正させた映像信号を出力する。
　その他の部分の構成及び動作は第一の実施例と同様であり，説明は省略する。
　本実施例においては複数のγ補正用テーブルを記憶しておく部分と実際にγ補正を行う部分とが同じ為に高速で大容量のＲＯＭを用いる必要があるが，γ補正テーブルにデータを転送する必要がないため，γ補正テーブルの切り換えにかかる時間が不要となる。この事は，画面の表示場所によってγ補正テーブルを容易に切り換えることが出来る利点がある。ただし，この場合は表示画面を幾つかのブロックに分けておいてそれぞれに階調分布特性を取る必要がある。
　以上本実施例によれば，映像信号内容に応じてγ補正動作を高速に切り換えることが可能なγ補正回路を持つ表示装置が構成出来る。
　図５は，本発明の第三の実施例を示す図である。２０ｃはγ補正回路，３０ｃは制御手段である。本実施例が第一の実施例と大きく異なる点は，γ補正回路２０ｃにおいてγ補正用テーブルとして各原色信号毎に２系統のＲＡＭを設けておき，制御手段３０ｃからのγ補正データ転送と映像信号に対するγ補正動作を並行して行えるようにした点にである。
　以下，図５中のγ補正回路２０ｃの構成及び動作について，Ｒのγ補正を行う部分２５Ｒを例に取って説明する。２５１ａ，２５２ｂはＲＡＭ，２６は切り換えスイッチである。２５１ａ，２５２ａは外部の制御手段により予め決められていたγ補正用テーブルに従いγ補正を行うＲＡＭである。２６は制御手段３０ｃからの信号に従いＲＡＭ２５１ａ，２５２ａのうち一方に映像入力部１０からの映像信号を入力し，他方に制御手段からのγ補正データと書き込み制御信号を入力させるスイッチである。
　今，制御手段３０ｃからの切り換え指示信号に基づきＲＡＭ２５１ａに映像信号が入力され，ＲＡＭ２５２ａには制御手段３０ｃからのγ補正データ等の信号が入力可能な状態にあるとする。制御手段３０ｃからの信号により，ＲＡＭ２５２ａの出力回路が高インピーダンス状態になり，ＲＡＭ２５１ａの出力のみがγ補正回路２０ｃの出力として出力される。新しいγ補正用データはスイッチ２６を通してＲＡＭ２５２ａに書き込まれる。書き込みが終了した後，制御手段３０ｃからの切り換え指示信号が反転し，ＲＡＭ２５１ａに制御手段３０ｃからのγ補正データ等の信号が入力可能な状態になると同時に，その出力端子は高インピーダンスとなる。この時，映像信号はＲＡＭ２５２ａに入力され，新しいγ補正テーブルによるγ補正が行われ，出力される。
　以上の動作をＧ，Ｂのγ補正を行う部分２５Ｇ，２５Ｂに対しても同様に行うことで，γ補正回路２０ｃのγ補正動作を変えることが出来る。
　次に制御手段３０ｃについて述べる。制御手段３０ｃはＣＰＵ３１ｃ，階調分布特性形成回路３２上，ＲＡＭ３３から構成され，第一の実施例における制御手段３０ａと同様な動作を行う。第一の実施例と大きく異なる点は第一の実施例中のＣＰＵ３１ａがγ補正テーブルを書き換えるタイミングはブランキング期間であるのに対し本実施例中のＣＰＵ３１ｃはブランキングに拘束されない点である。
　以上本実施例によれば，ＲＡＭに制御手段からのデータを転送してγ補正用テーブルの変更を行うため，多数のγ補正用テーブルを保持しておくための大容量のＲＯＭが必要でなく，第一及び第二の実施例に比べての多数のγ補正用テーブルを用いる表示装置が安価に実現できる。
　図６に本発明の第四の実施例のブロック図を示す。本実施例の第三の実施例と大きく異なる点は，光量センサ５１とＡ／Ｄコンバータ５２からなるセンサ回路５０が追加され，ＣＰＵ３１ｄにセンサ回路５０とのインタフェース端子が設けられた点である。
　図６中で５１は外光の明るさを測定し，電圧として出力する光量センサであり，５２は光量センサ５１から出力されるアナログ信号をディジタル信号に変換するＡ／Ｄコンバータである。外光の光量は光量センサ５１によって電圧に変換されＡ／Ｄコンバータ５２に送られる。Ａ／Ｄコンバータ５２は光量センサ５１からの信号をディジタルデータに変換して制御手段３０ｄに出力する。
　制御手段３０ｄはセンサ回路５０の出力信号と入力映像信号に従いγ補正回路を制御する。以下制御手段３０ｄの具体的な一構成例について説明する。３１ｄはγ補正回路からの信号とセンサからの信号を用い，ＲＯＭ３４中のプログラムに従ってγ補正回路２０ｃを制御するＣＰＵである。ＣＰＵ３１ｄの動作の具体的な一例としては，センサ回路５０からのデータをＣＰＵ３１ｄ内部のセンサ信号補正用テーブルで判断し，光量が多い場合は暗い部分の階調が判別し難くなるためγ補正カーブを出力の白側へ動かすことで画面を明るくし，光量が少ない場合は人間の目が暗い部分の階調差を判別し易くなるため，黒側へ動かし画面を暗くする代わりに白側の階調の潰れを減らす。前記制御と第一の実施例のγ補正カーブ自動調節を併用し，光量が多い場合は画面を明るくするために出力階調の白側の入力階調数に対する出力階調数を減らして，階調を少しつぶし，黒側の入力階調数に対する出力階調数を増やすことで，階調を少し伸長する。光量が少ない場合は出力階調の一部を伸長することで少し画面は暗くなるが階調の潰れを抑制する。
　前記操作により，周囲が明るい場合は，画面を明るくし視認性を高め，周囲が暗い場合は，画面の明るさを下げる代わりに階調の潰れを抑制することが出来る。その他の部分については第三の実施例と同様なため説明は略す。
　以上，センサ回路５０として光量センサを例に取り説明したが，光量センサだけにとどまらず，温度センサや湿度センサ等表示素子の表示特性や人間の幹事型を変化させる要因となる外部環境の変化をとらえるセンサを取り付け，最も見やすいγ補正特性を得ることもできる。
　本実施例では制御手段にＣＰＵとＲＡＭ，ＲＯＭを用いたが，同じ動作をするものをゲート等で組んでも良い。また逆に，ＣＰＵの動作速度に余裕があればゲートで組む部分，例えば階調分布特性形成回路３２をＣＰＵの動作に組み込むことも可能である。更に，本実施例のγ補正回路２０ｃの代わりにに第一，第二の実施例のγ補正回路２０ａ，２０ｂを制御手段からの信号でγ補正用テーブルを切り換えることで使用することも可能である。前記の際十分な数のγ補正テーブルがγ補正回路内に用意されていない場合は，制御手段は最も近いγ補正用テーブルを選択するればよい。
　図７に本発明の第五の実施例のブロック図を示す。本実施例の第三の実施例と大きく異なる点はＶＴＲ等からのビデオ映像信号等の入力部７０とパソコン等（以下ＰＣと略す）からのコンピュータ映像信号の入力部７１の２つの信号入力部を持ち，２つの入力映像信号を切り換えスイッチ８０で切り換え表示を行う点であり，またこの際にＣＰＵ３１ｅにも切り換え指示回路６０からの切り換え信号を入力する点である。
　制御手段３０ｅは切り換え指示回路６０からの切り換え信号と，切り換えスイッチ８０からの映像信号を入力とし，該２つの信号に従ってγ補正回路２０ｃでのγ補正カーブを変化させる。以下制御手段３０ｅの動作及び構成の一例について説明する。３１ｅは切り換え指示回路６０からの切り換え信号と映像信号を入力とし，ＲＡＭ３２上に形成した入力信号のヒストグラムと前記切り換え信号に基づいて，γ補正回路２０ｃのγ補正の内容を変更するＣＰＵである。
　切り換えスイッチ８０がビデオの側になっている場合については第三の実施例と同様であるため詳細な説明は省略し，切り換えスイッチ８０がパソコンの側になっている場合について述べる。
　通常パソコンが表示できる階調数は限られている。このため，信号源の出力階調数が表示装置の表示可能階調数より少なく，あらかじめ階調数がわかっている場合を考える。例えば入力される階調が図８の破線部のような４つの階調で，出力すべき階調が同図の一点鎖線部のようになっている時，同図の実線部に示す階段状のγカーブを用いるとよい。この際に，ノイズの影響をなるべく減らすため，γカーブの階調の変化する部分が入力階調同士の中間にくるようにする。例えば図８中の入力される階調がｘ１とｘ３である部分の境界ｘ２はｘ２＝（ｘ１＋ｘ３）÷２で表される。入力信号のヒストグラムから前記階段状のγカーブをＣＰＵ３１ｅが形成し，最適なγカーブをＲＡＭ３３上に設定する。その後，切り換えスイッチがビデオの側になっている場合と同様にして，γ補正回路２０ｃ上のγ補正の内容を変更する。
　また，表示装置の表示可能な階調数が信号源の出力階調数と非常に近い場合，例えば５１２色出力可能なパソコンを５１２色表示可能な表示装置に表示させる場合は切り換えスイッチがビデオ側である場合と同様なγ補正を行うと階調の潰れが生じてしまい，信号源側では区別されている階調が表示したときには同じ階調として表示されてしまう。前記の問題を解決するため，表示装置の表示可能な階調数が信号源の出力階調数と非常に近い場合はγ特性を黒から白に直線的に変化するリニアなものを用いる。また，本方法はＦＲＣ（Ｆｒａｍｅ　Ｒａｔｅ　Ｃｏｎｔｒｏｌ）等の多階調方式を用いた表示装置，例えば５１２色表示可能な液晶表示パネルにＦＲＣを用いて４０９６色の表示を行っている表示装置に５１２色出力可能なパソコンをつなぐ場合にも有効である。
　その他の各ブロックの構成及び動作は第三の実施例と同様であるため再度の説明は省略する。
　以上，本実施例によれば，複数の信号源に対しそれぞれ信号源と入力信号に合わせてγ補正を行うことが出来，各々の信号源に対応した最適なγ補正を行うことが出来る。
　尚，本実施例においては説明の都合上ＴＶとパソコンの２つの信号源を入力に用いる場合を挙げたが，３つ以上の信号源を切り換えてもよく，また，同じ種類，例えばビデオ映像信号を発生する信号源を２つ持ってきても良い。
　図９に本発明の第六の実施例のブロック図を示す。本実施例の，第二の実施例と大きく異なる点は，コンピュータ等からビデオ映像とパソコン画像を合成した映像信号を入力すると同時に，信号源であるパソコン等からの制御信号を制御手段に入力する為のインタフェース端子を設けたことにある。
　図９で１００はＶＴＲ等の映像信号源であり，７１はＶＴＲ等の映像信号とコンピュータ情報を合成した映像信号が得られるいわゆるマルチメディアパソコンである。７２はマルチメディアパソコン７１からの制御信号，例えば合成した画像のＴＶ映像の部分とパソコン映像の部分を区別するキー信号等をＣＰＵ３１ｆに入力するインタフェース端子である。３０ｆは制御手段である。
　制御手段３０ｆはキー信号等の外部制御信号と，入力映像信号に従いγ補正回路２０ｂを制御する。以下制御手段３０ｆの動作及び構成の具体的な一例を示す。３１ｆはＣＰＵであり，キー信号等の外部制御信号ならびに入力映像信号に従ってγ補正回路の補正内容を変化させる。制御手段３０ｆがγ補正回路２０ｂの内容を変える方法は第四の実施例に準じる。
　パソコン７１によって合成されたＴＶとパソコンの合成画像は，制御手段３０ｆにより予め決めておいた補正用テーブルに従って，γ補正回路２０ｂで信号補正され，マトリクス表示パネル４０に送られ，表示される。
　その他の部分については第二の実施例に準ずるため再度の説明は省略する。
　以上，本実施例を用いることにより，γ補正の制御を外部コンピュータによるものと，映像信号によるものの双方から行うことが可能となる。これにより，例えば，パソコンの側から画質の微調整を行うことや，パソコンから合成した画像のＴＶ映像の部分とパソコン映像の部分を区別する信号を送り，それに従って第二の実施例のようにγを切り換えることで，一枚の画面上のＴＶが合成されている部分と，パソコン本来の画像部分のγ補正を変えることが可能となり，よりよい画像を表示可能となる。
　尚，本実施例のγ補正回路２０に第一，第三の実施例のγ補正回路を使用することも可能である。前記の際にγ補正回路の変更が十分速く行えない場合は，γ補正回路を二組用意し，該二つの切り換えにより実現する。また，γ補正回路に第三の実施例のものを用いる場合は，第三の実施例と同様に制御手段からγ補正回路に制御信号とデータの双方を送ればよい。
　【発明の効果】
　本発明によれば，入力信号の内容に従ってγ補正の内容を変えるため，ダイナミックレンジの限られているマトリクス表示パネルにおいて，信号内容に合わせた良好な表示が得られる。
　また，本発明によればγ補正をかけたことによる色の変化を抑制したγ補正を実現できる。
　更に，本発明によれば，信号源がＴＶ信号かパソコン等の信号かによってγ補正の内容をを変えることにより，信号源の種類によらず良好な表示を得ることが出来る。
【図面の簡単な説明】
　【図１】
　本発明の第一の実施例のブロック図である。
　【図２】
　基本となるγ補正カーブ及び入力階調のヒストグラムを示すグラフである。
　【図３】
　修正後のγ補正カーブを示すグラフである。
　【図４】
　本発明の第二の実施例のブロック図である。
　【図５】
　本発明の第三の実施例のブロック図である。
　【図６】
　本発明の第四の実施例のブロック図である。
　【図７】
　本発明の第五の実施例のブロック図である。
　【図８】
　パソコン等の信号源に対するγ補正カーブの一例を示すグラフである。
　【図９】
　本発明の第六の実施例のブロック図である。
　【符号の説明】
　２０ａ〜ｃ…γ補正回路，　２１ａ〜ｃ，２５１ａ，２５２ａ，３２１，３３…ＲＡＭ，　２３，２４ａ〜ｃ，３４…ＲＯＭ，　２６…切り換えスイッチ，　３０ａ〜ｆ…制御手段，　３１ａ〜ｆ…ＣＰＵ，　３２…ヒストグラム形成回路，４０…表示装置，　５０…センサ回路，　５１…光量センサ，　５２…Ａ／Ｄコンバータ，　６０…切り換え回路，　７２…パソコン，　８０…切り換えスイッチ，　１００…ＶＴＲ。